(57)【要約】      （修正有）【課題】見栄えが良く、収納具の内部が十分に照明される収納具を提供する。【解決手段】開口部１１を有する収納具本体１０と、開口部１１の縁部１１ａに設けられる光源部であって、縁部１１ａの内壁面よりも収納具本体１０の内側に突出する凸部を備える光源１２と、収納具本体１０の開口部１１に対して開閉可能に設けられる蓋部２０と、を備え、蓋部２０は導光体を備え、該導光体は光源１２の前記凸部に対応する凹部を有する光入射領域３１を側面に有し、前記収納部と反対側に光放射領域３２を有し、蓋部２０が閉じた状態のときは、前記光源部の前記凸部が蓋部２０の前記凹部に嵌入して前記光源部と光入射領域３１が対向し、前記光源部の光が光入射領域３１から前記導光体に入射し、前記導光体を導光した後に、光放射領域３２から外部に放射し、蓋部２０が開いた状態のときは、前記光源部の光が収納具本体１０の内側に照射する、収納具とする。【選択図】図１
2010132031.tif 000002
【特許請求の範囲】
【請求項１】
開口部を有する収納具本体と、
前記開口部の縁部に設けられる光源部であって、該縁部の内壁面よりも前記収納具本体の内側に突出する凸部を備える光源と、
前記収納具本体の開口部に対して開閉可能に設けられる蓋部と、
を備え、
前記蓋部は前記光源の前記凸部に対応する凹部と導光体とを備え、該導光体は側面に前記凹部から露出する光入射領域を有し、前記収納部と反対側に光放射領域を有し、
前記蓋部が閉じた状態のときは、前記光源部の前記凸部が前記蓋部の前記凹部に嵌入して前記光源部と前記光入射領域が対向し、前記光源部の光が前記光入射領域から前記導光体に入射し、前記導光体を導光した後に、前記光放射領域から外部に放射し、
前記蓋部が開いた状態のときは、前記光源部の光が前記収納具本体の内側に照射する、
収納具。
【請求項２】
前記導光体は、導光棒と該導光棒の長手方向の側面に沿って隣接する導光板とを有し、該導光棒の該導光板と反対側の界面が反射面となり、前記導光板の前記収納具本体側の界面が反射面となり、
前記蓋部が閉じた状態のときは、前記導光棒の端面が前記光源に対向して光入射領域となり、前記導光板の前記収納具本体と反対側の面が光放射領域となる、
請求項１に記載の収納具。
【請求項３】
前記光源部は、導光棒と該導光棒の端面に対向する発光装置とからなり、前記導光棒の前記蓋部と反対側の界面が反射面となり、
前記蓋部が閉じた状態のときは、前記導光棒の長手方向の側面が、前記導光体の光入射領域に対向する、請求項１に記載の収納具。
【発明の詳細な説明】
【技術分野】
【０００１】
本発明は内部を照明する光源部を備える収納具の改良に関する。
【背景技術】
【０００２】
コンソールボックスなどの収納具において、その内部を照明する手段を備えるものがある。特許文献１には、収納具の蓋に光源を設け、蓋を開いたときに当該光源の光を収納具の内部に照射する構成が開示される。特許文献２には、収納具の内底部に光源を設けて、収納具の内部を照明する構成が開示されている。特許文献３には、収納具の側面に設けられる蓋を透明材料で形成し、収納具の内部の天井部に光源を設けることにより、内部を照明するとともに、蓋を閉じた状態においても外部から光が観察される構成が開示されている。
【０００３】
【特許文献１】特開２００６−３６０９１号公報
【特許文献２】特開２００８−２０１２１８号公報
【特許文献１】実開昭６２−２６２５１号公報
【発明の開示】
【発明が解決しようとする課題】
【０００４】
特許文献１の構成では、可動部である蓋部に光源が設けられるため、配線等を収納具本体から取り回さなければならず組み立て作業が煩雑となる。特許文献２の構成では、光源が収納具の内底部に設けられるため、収納物により光源が覆われてしまい内部が十分に照明されない。また、飲料等が収納される場合には光源に防水加工を施しておく必要がある。特許文献３の構成では、外部から観察した時、収納物に光が遮られるため、外部から観察したときに収納物の影が観察されて見栄えが悪い。
そこで本発明は、収納物の出し入れの際に内部を効果的に照明する構成を提供することを目的の一つとする。さらに、見栄えが良く、デザイン性や演出効果を有する構成を提供することを目的の一つとする。
【課題を解決するための手段】
【０００５】
以上の目的を達成するため、本発明は次の構成からなる。即ち、
開口部を有する収納具本体と、
前記開口部の縁部に設けられる光源部であって、該縁部の内壁面よりも前記収納具本体の内側に突出する凸部を備える光源と、
前記収納具本体の開口部に対して開閉可能に設けられる蓋部と、
を備え、
前記蓋部は前記光源の前記凸部に対応する凹部と導光体とを備え、該導光体は側面に該凹部から露出する光入射領域を有し、前記収納部と反対側に光放射領域を有し、
前記蓋部が閉じた状態のときは、前記光源部の前記凸部が前記蓋部の前記凹部に嵌入して前記光源部と前記光入射領域が対向し、前記光源部の光が前記光入射領域から前記導光体に入射し、前記導光体を導光した後に、前記光放射領域から外部に放射し、
該蓋部が開いた状態のときは、前記光源部の光が前記収納具本体の内側に照射する、
収納具である。
【発明の効果】
【０００６】
本発明の収納具では、導光体を含む蓋部が閉じた状態のときは、開口部の縁部に設けられる光源部と蓋部の光入射領域とが対向して、光源の光が蓋部の導光体に入射する。そして、収納部と反対側に位置する光放射領域から光が放出される。これによって、当該光が外部から観察されて装飾効果が奏される。蓋部が閉じた状態では、蓋部に設けた凹部に光源部の凸部が嵌入し、蓋部と収納部本体との隙間から光源部の光が漏洩することが防止されて、見栄えが良くなる。一方、蓋部が開いた状態では、光源部から収納具の内部に光が放出されて収納部の内部が照明される。光源部は開口部（内部の上部）に設けられるため収納部の内部が広範囲に照明される。また、収納物によりその光が遮られにくい。これらにより、収納部の内部が効率的に照明される。
【発明を実施するための最良の形態】
【０００７】
本発明の収納具は収納具本体と蓋部とを備える。収納具本体は開口部を有する形状であって、例えば、有底円筒形である。当該開口部の縁部に光源部が備えられる。光源部は縁部の内壁面よりも収納具本体の内側に突出する凸部を備え、収納具本体の内側に光を照射する。光源部は発光装置を備える。発光装置としてＬＥＤランプが好ましい。ＬＥＤランプは小型であるため、開口部の縁部という限られた領域に設置するのに適する。ＬＥＤランプの種類は限定されず、砲弾型、表面実装型などとすることができる。ＬＥＤランプの発光色も特に限定されない。複数のＬＥＤランプを組み合わせて光源部を構成しても良い。複数のＬＥＤランプは発光色が同一であってもよいし、異なる発光色のものが含まれていても良い。
発光装置と導光体を組み合わせて光源部としても良い。例えば、ＬＥＤランプと導光棒を使用して、導光棒の端面にＬＥＤランプを対向させて導光棒の端面から光を入射して、当該導光棒の側面から光を取り出す。これにより、点発光するＬＥＤランプの光を線状の光に変換することができる。
【０００８】
蓋部は収納具本体の開口部に対して開閉可能に設けられる。蓋部は凹部と導光体を備える。凹部は光源の凸部に対応する位置に設けられる。導光体は凹部から露出する光入射領域を側面に有し、光放射領域を収納部と反対側に有する。導光体を、例えば、平板状の導光板とする。このような導光板の側面に凹部を形成して光入射領域とし、上側平面を光放射領域とすることができる。導光棒と導光板とを組み合わせて用いることもできる。この場合、当該導光棒の側面と導光板の側面とを隣接させて配置し、導光棒の端面を蓋部の凹部から露出させて光入射領域とし、導光板の上側平面を光放射領域とする。また、当該導光棒の光入射領域を凹状にして光源の凸部が嵌入するようにしても良い。光の入射効率が向上するからである。
【０００９】
導光体の収納具本体側の表面（即ち、導光棒の裏面）には、反射処理が施される。これにより、導光体に入射した光の一部が収納具本体側と反対側に進行して光放射領域から外部に放射される。反射処理は、シボ加工、ブラスト処理、印刷など公知の方法により行うことができる。また、収納具本体側の面に金属層を設けて鏡面（ミラー面）としてもよいし、金属薄層を形成していわゆるハーフミラー面としてもよい。
導光体の収納具本体側と反対側の面（光放射領域）は平滑な面であっても良い。また、光放射領域はハーフミラー面であってもよい。例えば、光放射領域をハーフミラー面とし、収納具本体側の面をミラー面とすれば、当該導光体の内部で光が繰り返し反射するため、独特の奥行き感が得られ、装飾性が高まる。また、導光体の光放射領域に所望の形状の溝（凹）を設けて、当該溝の界面で導光体を導光する光を反射させることにより、立体的な陰影を創出して、観察者に奥行き感や立体感を与えることもできる。なお、導光体は無色透明の他、有色透明であってもよい。また、導光体に光拡散剤を含有させて、導光体内で積極的に光を拡散させても良い。
以下、この発明の実施の形態につき図を参照しながら説明をする。
【実施例】
【００１０】
本発明の実施例の収納具である車両用のコンソールボックス１の蓋部２０が閉じた状態の斜視図を図１（Ａ）に示し、コンソールボックス１の蓋部２０が開いた状態の斜視図を図１（Ｂ）に示す。コンソールボックス１は大別して、概して収納具本体（以降、「本体」ともいう）１０と蓋部２０を備える。本体１０は、平面視で略長方形の開口部１１を有する。図１（Ａ）において、開口部１１の長手縁部を符号１１ａ、１１ｂで示し、短手縁部を１１ｃ、１１ｄで示す。長手縁部１１ａの本体１０の内側にＬＥＤランプ１２が２個設けられる。ＬＥＤランプ１２は白色発光型のＬＥＤランプであって、本体１０の内側に光を放射する。ＬＥＤランプ１２には本体１０内部に設けられたハーネス（図示せず）を介して車両から電力が供給される。図２に図１（Ａ）におけるＡ−Ａ線断面図を示す。ＬＥＤランプ１２の光放出部の一部は開口部１１の長手縁部１１ａの内壁から突出して凸部１３を形成している。
【００１１】
蓋部２０は開口部１１に対して開閉可能に設けられる。蓋部２０の形状は平面視矩形の略平板状であって、その縁部は開口部１１の内壁に沿う。蓋部２０が閉じた状態において長手縁部１１ａに対向する面の両端部近傍に光入射領域３１をそれぞれ備え、本体１０側と反対側の面に光放出領域３２を備える。蓋部２０の分解図を図３に示す。なお、図３にはＬＥＤランプ１２もあわせて記載する。蓋部２０はリッドアッパー２１、リッドミドルパネル２２、導光板２３、導光棒２４及びリッドロア２５を備える。リッドアッパー２１とリッドロア２５によって、リッドミドルパネル２２、導光板２３及び導光棒２４が挟持されている。
リッドアッパー２１は無色透明のアクリル製であって、平面視で長方形の平板部２１ａと、平板部２１ａの長手縁部に立設された長手側壁２１ｂ、２１ｃと、平板部２１ａの短手縁部に立設された短手側壁２１ｄ、２１ｅとを備える。長手側壁２１ｂのＬＥＤランプ１２の近傍領域に凹部２６が設けられている。平板部２１ａは透明であるが、長手側壁２１ｂ、２１ｃ及び短手側壁２１ｄ、２１ｅには内側からつや消しの黒色インクが塗布されて、当該側壁から蓋部２０の内部が目隠しされている。
【００１２】
リッドミドルパネル２２はＡＢＳ樹脂製であり、その形状は外縁がリッドアッパー２１の平面部２１ａの外縁に沿い、略長方形の中央領域２２ａはくり抜かれて枠状となっている。中央領域２２ａの形状は後述の導光板２３よりも一回り小さく、当該中央領域２２ａが光放射領域３２に対応する。
【００１３】
導光板２３は無色透明のアクリル製であって、平面視長方形の平板状である。導光板２３の上面（リッドアッパー２１側の面）２３ａにはシボ加工が施されている。導光棒２４は、その側面２４ａが導光板２３の両短手側面２３ｂに対向するように導光板２３に隣接して設けられる。導光棒２４の側面には円錐形の凹部（図示せず）が導光棒２４の長手方向に沿って多数設けられて、その界面が反射面となる。導光板２３と導光棒２４とをあわせて導光体３０と呼ぶ。
【００１４】
リッドロア２５はＡＢＳ樹脂製であって、リッドアッパー２１側に導光体３０（導光板２３及び導光棒２４）の外形に沿う凹部２５ａを備える。凹部２５ａの底面には金属メッキシート（図示せず）が貼付されている。凹部２５ａの壁面には白色インクが塗布されて反射性が高められている。凹部２５ａの壁部の内、ＬＥＤランプ１２の近傍には切り欠き２５ｂが形成されている。かかる凹部２５ａ内には導光体３０が載置される。凹部２５ａ内に導光体３０が載置された状態において、当該切り欠き２５ｂから導光棒２４の端面２４ｂが露出する。図４（Ａ）に切り欠き２５ｂ近傍の斜視図を示す。切り欠き２５ｂは略矩形の凹部である。図４（Ｂ）にリッドロア２５に導光体３０を載置した状態における切り欠き２５ａ近傍の拡大斜視図を示す。導光棒２４が切り欠き２５ａに嵌入して端面２３ｂはリッドロア２５の側面に面一になる。図４（Ｃ）にさらにリッドアッパー２１を取り付けた状態における切り欠き２５ａ近傍の拡大斜視図を示す。端面２３ｂは凹部２６から一段内側に露出している。このようにして光入射領域３１が形成される。
リッドロア２５の切り欠き２５ａと反対側の角部には接続部２７が設けられる。接続部２７は円柱状の突起を有し、本体１０の開口部１１の対応する角部に設けられた孔（図示せず）に嵌入して、蓋部２０が取り付けられることとなる。これにより、蓋部２０は接続部２７の円柱状の突起を軸として軸回転して開閉される。
【００１５】
図１（Ｂ）のＢ−Ｂ線位置の断面図を図５に示す。当該図を参照しながら、次にコンソールボックス１の使用態様を説明する。まず、コンソールボックス１は蓋部２０が閉じた状態では、ＬＥＤランプ１２の光放出部である凸部１３が光入射領域３１に対向する。これにより、ＬＥＤランプ１２の光が光入射領域３１から導光棒２４に入射する。入射光は導光棒２４を導光するとともに、導光棒２４の側部に形成された凹部の界面により導光板２３側に反射される。これによって、線状の光が生成する。当該線状光は隣接する導光板２３の側面から導光板２３に入射する。導光板２３に入射した光は導光板２３を導光するとともに、リッドロアの凹部２５ａの底部の金属メッキシートにより反射される。これにより、光放出領域３２から外部に光が放出される。当該放出光が外部から観察されて高い装飾効果を発揮する。また、蓋部２０の凹部２６にＬＥＤランプ１２の凸部１３が入り込むためとＬＥＤランプ１２と蓋部２０との間に隙間が発生するのが防止されて、光の外部漏洩が減少する。
一方、蓋部２０が開いた状態では、図２に示すようにＬＥＤランプ１２の、光放出部１３は本体１０の内側に突出しており、当該放出光は本体１０の内側を照射する。光放出部１３は本体１０の内側の高い位置に位置するため、本体１０に収納される収納物によって放出光が遮られにくく、本体１０の内側が良好に照明される。また、蓋部２０の本体１０側の面を白色としているため、ＬＥＤランプ１２の光を拡散反射して本体１０の内側をさらに照明される。
以上のように、本発明のコンソールボックス１では、ＬＥＤランプ１２の光によって、蓋部２０が閉じた状態と蓋部２０が開いた状態でそれぞれ異なる発光照明が提供される。そのため、それぞれの発光照明に対応した光源を個別に設ける必要がなく、光源の設置スペースを小さくできる。また、部品点数が削減され、低コスト化が図られる。なお、蓋部２０は軸回転して開閉されることとしたが、これに限定されず、開口部１１の短手縁部１１ｃ、１１ｄに、蓋部２０の短手縁部が嵌入する溝を形成して、蓋部２０をスライド可能に設けることもできる。
【００１６】
本発明の変形例であるコンソールボックス１００の斜視図を図６（Ａ）に示す。なお、コンソールボックス１と同等の部材には同一の符号を付してその説明を省略する。コンソールボックス１００は大まかに、本体１０と蓋部２００とを有する。本体１０の開口部１１の長手縁部１１ａの内側に導光棒２４０が設けられ、導光棒２４０の長手方向は長手縁部１１ａに沿っている。導光棒２４０の両端面にはＬＥＤランプ１２がそれぞれ対向している。導光棒２４の本体１０内側と反対側の面には円錐形の凹部（図示せず）が導光棒２４の長手方向に沿って多数設けられて、その界面が反射面となっている。図６（Ｂ）に図６（Ａ）のＣ−Ｃ線断面拡大図を示す。導光棒２４０は長手縁部１１ａから内側に突出した凸部１３０を備える。
蓋部２００の分解図を図７に示す。蓋部２００はリッドアッパー２１０、リッドミドルパネル２２、導光板２３０及びリッドロア２５０を備える。リッドアッパー２１０とリッドロア２５０によって、リッドミドルパネル２２、及び導光板２３０が挟持されている。リッドアッパー２１０は、長手縁部２１０ａ側に幅広の切り欠き部２６０を備える。これを除いて、リッドアッパー２１０の形状はコンソールボックス１のリッドアッパー２１と同等である。導光板２３０は平面視長方形の平板状である。
リッドロア２５０は本体１０の長手縁部１１ａ側に幅広の切り欠き２５０ａを備える。これを除いて、リッドロア２５０の形状はコンソールボックス１のリッドロア２５と同等である。
【００１７】
コンソールボックス１００の使用態様を説明する。ＬＥＤランプ１２の光は導光棒２４０の端面から導光棒２４０に入射する。入射光は導光棒２４０を導光し、本体１０内側と反対側の面に反射されて本体１０内側の面から線状光となって放出される。蓋部２００を閉じた状態における、図６（Ｂ）に対応する断面図を図８に示す。導光棒２４０から放出された線状光は導光板２３０の側面から入射し、コンソールボックス１と同様に光放出領域３２０から外部に放出される。
このようなコンソールボックス１００によっても、コンソールボックス１と同等の効果を奏する。
【産業上の利用可能性】
【００１８】
本発明は、様々な収納具にその利用が図られる。
【００１９】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【図面の簡単な説明】
【００２０】
【図１】図１（Ａ）は本発明の実施例の収納具である車両用のコンソールボックス１の蓋部２０が閉じた状態の斜視図であり、図１（Ｂ）はコンソールボックス１の蓋部２０が開いた状態の斜視図である。
【図２】図２は図１（Ａ）におけるＡ−Ａ線断面図である。
【図３】図３は蓋部２０の分解図である。
【図４】図４（Ａ）は切り欠き２５ｂ近傍の拡大斜視図であり、図４（Ｂ）はリッドロア２５に導光体３０を載置した状態における切り欠き２５ａ近傍の拡大斜視図であり、図４（Ｃ）はリッドアッパー２１を取り付けた状態における切り欠き２５ａ近傍の拡大斜視図である。
【図５】図５は図１（Ｂ）のＢ−Ｂ線位置の断面図である。
【図６】図６（Ａ）は本発明の変形例であるコンソールボックス１００の斜視図であり、図６（Ｂ）は図６（Ａ）のＣ−Ｃ線断面拡大図である。
【図７】図７は蓋部２００の分解図である。
【図８】図８は蓋部２００を閉じた状態における断面図である。
【符号の説明】
【００２１】
１、１００  コンソールボックス１０  本体
１２  ＬＥＤランプ
２０、２００  蓋部
２１、２１０  リッドアッパー
２２  リッドミドルパネル
２３、２３０  導光板
２４、２４０  導光棒
２５、２５０  リッドロア
２５ａ、２５０ａ  切り欠き
２６、２６０  凹部
３０  導光体
３１、３１０  光入射領域
３２、３２０  光放出領域
【図１】
2010132031.tif 000003
【図２】
2010132031.tif 000004
【図３】
2010132031.tif 000005
【図４】
2010132031.tif 000006
【図５】
2010132031.tif 000007
【図６】
2010132031.tif 000008
【図７】
2010132031.tif 000009
【図８】
2010132031.tif 000010